(57)【要約】  飲料容器の蓋アセンブリは、頂部と底部とプランジャとを有する。頂部は飲料開口部を有している。底部は飲料経路開口部を有している。プランジャが頂部及び底部に接続されると、プランジャを回転軸線と平行な方向に移動させるために、頂部が底部に対して回転軸線を中心として回転可能であり、蓋アセンブリは、蓋アセンブリが取り付けられた関連する飲料容器内の流体がプランジャの周囲を流れて飲料開口部を通って流れることができる、開放位置と、飲料容器内の流体が飲料開口部を通って流れることがプランジャによって阻止される、閉鎖位置と、回転軸線と平行な方向に底部に対して頂部を移動させることによって頂部が底部から取り外し可能である、ロック解除位置とに移動可能である。【選択図】図７
2021523073.tif 000002
【特許請求の範囲】
【請求項１】
飲料容器のための蓋アセンブリであって、前記蓋アセンブリは、
飲料開口部を有する頂部と、
飲料経路開口部を有する底部と、
前記頂部及び前記底部に接続可能なプランジャとを備え、
前記プランジャが前記頂部及び前記底部に接続されると、前記プランジャを回転軸線と平行な方向に移動させるために、前記頂部が前記底部に対して前記回転軸線を中心として回転可能であり、
前記蓋アセンブリは、
前記蓋アセンブリが取り付けられた関連する飲料容器内の流体が前記プランジャの周囲を流れて前記飲料開口部を通って流れることができる、開放位置と、
前記蓋アセンブリが接続された関連する飲料容器内の流体が前記飲料開口部を通って流れることが前記プランジャによって阻止される、閉鎖位置と、
前記回転軸線と平行な方向に前記底部に対して前記頂部を移動させることによって前記頂部が前記底部から取り外し可能である、ロック解除位置とに移動可能である、飲料容器のための蓋アセンブリ。
【請求項２】
前記頂部が前記底部から取り外されると、前記プランジャを前記回転軸線と平行な方向に前記底部に対して移動させることによって、前記プランジャは前記底部から取り外し可能である、請求項１に記載の蓋アセンブリ。
【請求項３】
前記頂部が前記底部から取り外されると、前記プランジャを前記底部に対して前記回転軸線を中心に回転させて前記プランジャを前記回転軸線に平行な方向に前記底部に対して移動させることによって、前記プランジャは前記底部から取り外し可能である、請求項１に記載の蓋アセンブリ。
【請求項４】
前記頂部は、前記閉鎖位置から前記開放位置に向かって第１の方向に回転し、前記頂部は、前記閉鎖位置から前記ロック解除位置に向かって第２の反対方向に回転する、請求項１に記載の蓋アセンブリ。
【請求項５】
前記頂部は、前記底部及び前記プランジャから取り外し可能であり、前記頂部は、第１の向きと、前記頂部が前記第１の向きから１８０度回転させられた第２の向きで、前記底部及び前記プランジャに接続可能である、請求項４に記載の蓋アセンブリ。
【請求項６】
前記底部は通気経路開口部を有し、前記頂部は通気開口部を有し、前記通気開口部は、前記開放位置にあるときに前記通気経路開口部と位置合わせされ、前記通気開口部は、前記閉鎖位置にあるときに前記通気経路開口部からオフセットしている、請求項１に記載の蓋アセンブリ。
【請求項７】
前記底部は、前記回転軸線の周りの前記飲料経路開口部と同じ構成を有し、かつ前記飲料経路開口部から１８０度オフセットした、通気経路開口部を有する、請求項１に記載の蓋アセンブリ。
【請求項８】
前記蓋アセンブリは、前記頂部及び前記底部の一方においてタブと、前記頂部及び前記底部の他方において、トラック及び切欠部を画定しているフランジとをさらに備え、
前記タブは、前記底部から前記頂部の選択的な取り付け及び取り外しを可能にするために、前記切欠部を通過するように構成されており、
前記タブは、また、前記頂部が前記底部と接続されているときに前記トラック内に捕捉されるように構成されている、請求項１に記載の蓋アセンブリ。
【請求項９】
前記蓋アセンブリは、前記頂部及び前記底部の一方において移動限界部をさらに備え、前記タブは、前記蓋アセンブリが前記閉鎖位置にあるときに閉鎖位置移動限界部と係合し、前記タブは、前記閉鎖位置から前記ロック解除位置に向かって移動するときに前記閉鎖位置移動限界部を乗り越える、請求項８に記載の蓋アセンブリ。
【請求項１０】
前記蓋アセンブリは、前記プランジャの上側密封面と前記底部の下側密封面の一方における隆起部をさらに有し、前記隆起部が前記飲料経路開口部を包囲する、請求項１に記載の蓋アセンブリ。
【請求項１１】
前記底部は通気路開口部を有し、前記隆起部は前記通気路開口部を包囲する、請求項１０に記載の蓋アセンブリ。
【請求項１２】
前記蓋アセンブリは、前記プランジャの上面においてプランジャシールをさらに備え、前記プランジャシールは前記上側密封面を画定し、前記隆起部は前記底部の前記下側密封面上にある、請求項１０に記載の蓋アセンブリ。
【請求項１３】
前記底部は、前記回転軸線と同軸の中央開口部を有し、前記プランジャは、前記中央開口部を通って延在するステムを有し、前記ステムは、前記プランジャを前記頂部と接続させるように前記頂部と係合する、請求項１に記載の蓋アセンブリ。
【請求項１４】
前記ステムは、ステム傾斜路を有し、前記底部は、前記中央開口部において底部傾斜路を有し、前記ステム傾斜路は、前記頂部が前記底部に対して回転するときに前記プランジャを前記回転軸線と平行な方向に移動させるように、前記底部傾斜路と協働する、請求項１３に記載の蓋アセンブリ。
【請求項１５】
前記頂部は延長部を有し、前記ステムは、前記プランジャを前記頂部と接続するように前記延長部を受け入れる頂部コネクタ開口部を有する、請求項１４に記載の蓋アセンブリ。
【請求項１６】
前記蓋アセンブリは、前記底部において上側シールをさらに備え、前記上側シールは、前記頂部が前記閉鎖位置にあるときに、前記飲料開口部を閉鎖するように前記頂部に対して密封する、請求項１に記載の蓋アセンブリ。
【請求項１７】
前記底部は通気経路開口部を有し、前記頂部は通気開口部を有し、前記通気開口部は、前記頂部が前記開放位置にあるときに前記通気経路開口部と位置合わせされ、前記通気開口部は、前記頂部が前記閉鎖位置にあるときに前記通気経路開口部からオフセットし、前記上側シールは、前記頂部が前記閉鎖位置にあるときに前記前記頂部に対して密封して前記通気開口部を閉鎖する、請求項１６に記載の蓋アセンブリ。
【請求項１８】
前記上側シールは、前記回転軸線が属する平面の両側で対称である、請求項１７に記載の蓋アセンブリ。
【発明の詳細な説明】
【技術分野】
【０００１】
本発明は、飲料容器の蓋アセンブリに関する。
【背景技術】
【０００２】
飲料容器又は飲物容器の蓋は、容器内の飲物の温度を維持するのに役立ち、また、使用中に容器から飲物がこぼれる可能性を減少させる。このような飲料容器の蓋の多くは、選択的に開閉できる飲料開口部を備えている。飲料開口部は、ボタンを押し下げて飲料開口部の下のバルブを開くことによって開閉することができる。飲料開口部を開閉するために前後に回動する二次蓋が設けられることが多い。また、飲料開口部を開閉するためにスライド式の二次蓋が設けられる。容器内の飲物の温度をさらに維持することを助けるとともに、飲料容器の蓋の洗浄性を助けることができるように、飲料容器の蓋を改良されうる。
【発明の概要】
【０００３】
上記に鑑みて、飲料容器用の蓋アセンブリは、頂部と底部とプランジャとを有する。頂部は飲料開口部を有する。底部は飲料経路開口部を有する。プランジャが頂部及び底部に接続されると、プランジャを回転軸線と平行な方向に移動させるために、頂部が底部に対して回転軸線を中心として回転可能であり、蓋アセンブリは、蓋アセンブリが取り付けられた関連する飲料容器内の流体がプランジャの周囲を流れて飲料開口部を通って流れることができる、開放位置と、蓋アセンブリが接続された関連する飲料容器内の流体が飲料開口部を通って流れることがプランジャによって阻止される、閉鎖位置と、回転軸線と平行な方向に底部に対して頂部を移動させることによって頂部が底部から取り外し可能である、ロック解除位置とに移動可能である。
【図面の簡単な説明】
【０００４】
【図１】図１は、飲料容器用の蓋アセンブリの分解図である。
【図２】図２は、開放位置に組み立てたときの図１の蓋アセンブリの斜視図である。
【図３】図３は、閉鎖位置に組み立てられたときの図１の蓋アセンブリの斜視図である。
【図４】図４は、図１の蓋アセンブリの底部の上側の斜視図であり、上側シールが底部と接続されている様子を示している。
【図５】図５は、図１の蓋アセンブリの底部の下側の斜視図である。
【図６】図６は、図１の蓋アセンブリの頂部の下側の斜視図である。
【図７】図７は、開放位置にある図１の蓋アセンブリの断面図である。
【図８】図８は、蓋アセンブリの洗浄のための図１の蓋アセンブリの分解図である。
【発明を実施するための形態】
【０００５】
図１を参照すると、蓋アセンブリ１０は、底部１２と、頂部１４と、プランジャ１６とを有する。蓋アセンブリ１０は、また、上側シール１８とプランジャシール２０とを有するものとして描かれている。頂部１４は底部１２に対して回転軸線２２を中心に回転し、図２に示されている開放位置と図３に示されている閉鎖位置との間で蓋アセンブリ１０を移動させる。頂部１４を底部１２に対して回転させることで、プランジャ１６を底部１２に対して回転軸線２２と平行な方向に移動させる。開放位置にあるとき、蓋アセンブリ１０が取り付けられた容器内にある液体は、使用者によって飲まれるように蓋アセンブリ１０を通過することができる。閉鎖位置にあるとき、容器内の飲物は、蓋アセンブリ１０を通って移動することが妨げられる。
【０００６】
図４により明確に分かるように、底部１２は、図示された実施形態においては円筒形である下側壁部分３０を有する。ストラップコネクタ３２は、ストラップが蓋アセンブリ１０と接続することができるように、下側壁部分３０から外方に延びている。肩部３４は、下側壁部分３０から内方に延び、また、蓋アセンブリ１０の中心軸線でもある回転軸線２２に対して垂直に配置される。上側壁部分３８は、下側壁部分３０と比較してわずかに直径が縮小され、肩部３４から上方に延びる。
【０００７】
２つのフランジ４２が上側壁部分３８に設けられており、２つのフランジ４２の各々の端部が互いに円周方向に離間して２つの切欠部４４を画定する。また、各フランジ４２は、肩部３４と連動してトラック４６を画定している。各トラック４６は、それぞれの切欠部４４で始まり、底部１２に対する頂部１４の回転運動を制限するために一端で閉じられている。底部１２は複数の移動限界部を有し、これら移動限界部は、頂部１４と協働するそれぞれのフランジ４２によってそれぞれ画定される、ロック解除位置移動限界部５０と開放位置移動限界部５２とを有する。複数のフランジ４２の一方におけるロック解除位置移動限界部５０は、複数のフランジ４２の他方におけるロック解除位置移動限界部５０から１８０度離間している。同様に、複数のフランジ４２の一方における開放位置移動限界部５２は、図４の他方のフランジ４２における開放位置移動限界部５２から１８０度離間している（図１参照）。底部１２は、また、閉鎖位置移動限界部５６を各々が画定する２つの突起５４を有する。各突起５４及び各閉鎖位置移動限界部５６は、他方の突起５４及び各閉鎖位置移動限界部５６から１８０度離間している。２つのスロット５８は、上側壁部分３８を貫通して延在する。各スロット５８は円周方向において各突起５４と位置合わせされており、各突起５４の下方に配置されており、以下でより詳細に説明するように、特定の状況下で頂部１４が底部１２に対して回転される時に突起５４及び上側壁部分３８が内側に移動することができる。
【０００８】
図４は、底部１２と接続された上側シール１８を示す。底部１２は、上側シール１８を底部１２に取り付けるために上側シール１８を受け入れる、図１においてより明確に見える上側シール凹部７２を画定するプラットフォーム７０を有する。上側シール１８は、例えば食品等級のシリコーンなどの可撓性材料から作られており、これにより、上側シール１８を摩擦嵌めを介して上側シール凹部７２内に保持することができる。複数の経路開口部７４は、プラットフォーム７０を通って延び、底部１２に対する頂部１４の向きに応じて、各経路開口部は、通気経路開口部として又は飲料経路開口部として作用することができる。これら経路開口部７４の各々は同じ構成を有し、それらは回転軸線２２を中心として互いに１８０度オフセットしている。経路開口部７４はさらに、必要に応じて、はるかに大きくすることができる。これは、プランジャ１６が底部１２に対して密封することができるからである。プラットフォーム７０は、回転軸線２２に垂直である上面７６であって、上側シール１８が上側シール凹部７２内に受け入れられたときに上側シール１８の上面７８と略同一平面上にある上面７６を画定する。図５を参照すると、プラットフォーム７０は、プランジャ１６及びプランジャシール２０と協働するときに密封面として作用する下面８２も有する。隆起部８４が、下面８２に設けられており、下面８２から下方に延びている。隆起部８４は、図示の実施形態では円形であり、いくつかの経路開口部７４の各々を包囲するか又は外接させる。ねじ山８６は、底部１２及び蓋アセンブリ１０がねじ山付きの口部を有する容器と接続するように、下側壁部分３０の内部に設けることができる。蓋アセンブリ１０は、他の従来の方法で容器と接続することができる。
【０００９】
底部１２は、また、プラットフォーム７０を貫通して延在しかつ回転軸線２２と同軸である中央開口部９０を有する。底部１２は、さらに、中央開口部９０の内部に設けられた底部傾斜路９２を有する。２つの底部傾斜路９２が描かれているが、２つより少ないか又は２つより多くの数を設けることができる。底部傾斜路９２は、頂部１４の底部１２に対する回転で、回転軸線２２と平行な方向に底部１２に対してプランジャ１６を移動させるように、プランジャ１６と協働する。各底部傾斜路９２には、それぞれの回転停止限界部９６が設けられている。回転停止限界部９６に隣接する各底部傾斜路９２は、水平部分９８を有する。
【００１０】
図６を参照すると、頂部１４は、図示の実施形態では円筒形である外側壁１１０を有する。頂部１４は、また、外側壁１１０から半径方向内側にオフセットしている内側壁１１２を有する。外側壁１１０と内側壁１１２は回転軸線２２と同心である。また、頂部１４は、外側壁１１０によって包囲されたカバー部１１４を有する。環状凹部１１６が、外側壁１１０と内側壁１１２との間に設けられ、さらに、外側壁１１０と内側壁１１２との間のカバー部１１４の外側底部１１８によって画定される。頂部１４が底部１２と接続されると、上側壁部分３８は環状凹部１１６内に受け入れられる。カバー部１１４は、さらに、頂部１４の最下面である中間下面１２２を有する。中間下面１２２は環状であり、中間下面１２２から上方に凹んだ中央下面１２４を包囲している。周縁隆起部１２６は、中間下面１２２の周囲に隣接して中間下面１２２から下方に延びている。周縁隆起部１２６は、蓋アセンブリ１０が組み立てられるときに上側シール１８と係合する。
【００１１】
頂部１４は、中間下面１２２からカバー部１１４を通ってカバー部１１４の上面１３４（図１）まで延びる飲料開口部１３２を有する。頂部１４は、中間下面１２２からカバー部１１４を通って上面１３４まで延びる通気開口部１３６も有する。飲料開口部１３２は、通気開口部１３６よりも大きく、底部１２の各経路開口部７４と寸法が類似している。飲料開口部１３２の中心は、通気開口部１３６の中心から１８０度オフセットしている。頂部１４は、さらに、中央下面１２４から下方に延びる延長部１３８を有する。延長部１３８は、頂部１４をプランジャ１６と接続させるように底部１２の中央開口部９０を貫通して延在している。
【００１２】
頂部１４は、さらに、各々の端部が互いに１８０度オフセットした２つのタブ１５０を有する。各タブ１５０は、外側壁１１０から内方に延びており、頂部１４の底部１２に対する回転運動を制限するように底部１２の移動限界部５０、５２、５６と協働する。各タブ１５０は、頂部１４の底部１２への選択的な取り付け及び取り外しを可能にするように、底部１２のそれぞれの切欠部４４内に受け入れられるように構成されている。各タブ１５０は、また、頂部１４が底部１２と接続されているときに、フランジ４２と肩部３４との間でトラック４６に捕捉されるように構成されている。
【００１３】
各タブ１５０は、第１端移動限界部１５２と、中間移動限界部１５４と、第２端移動限界部１５６とを有している。上述のように、頂部１４は、底部１２に対して回転軸線２２を中心として回転し、蓋アセンブリ１０を開放位置と閉鎖位置との間で移動させる。頂部１４は、底部１２に対してロック解除位置にも回転することができる。各第１端移動限界部１５２は、頂部１４が閉鎖位置にあるときにそれぞれの閉鎖位置移動限界部５６に接触する。各第１端移動限界部１５２は、頂部１４がロック解除位置にあるときにそれぞれのロック解除位置移動限界部５０に接触する。各タブ１５０は、閉鎖位置からロック解除位置に向かって移動するときにそれぞれの閉鎖位置移動限界部５６を乗り越える。各突起５４の下方に位置決めされた複数のスロット５８によって、頂部１４が閉鎖位置からロック解除位置に向かって底部１２に対して回転されるとき、突起５４及び上側壁部分３８が内方に移動することができる。頂部１４がロック解除位置にあるとき、回転軸線２２に沿って頂部１４を底部１２から離れて軸線方向に移動させるときに各タブ１５０がそれぞれの切欠部４４を通って移動するように、各タブ１５０がそれぞれの切欠部４４と位置合わせされるので、頂部１４を底部１２から取り外すことができる。各中間移動限界部１５４は、頂部１４がロック解除位置にあるときに、それぞれの閉鎖位置移動限界部５６に接触する。各第２端移動限界部１５６は、頂部１４が開放位置にあるときに、それぞれの開放位置移動限界部５２に接触する。
【００１４】
頂部１４は、底部１２に対して回転軸線２２を中心に回転し、飲料開口部１３２が飲料経路開口部として作用する経路開口部７４と位置合わせされた開放位置と、飲料開口部１３２が飲料経路開口部として作用する経路開口部７４からオフセットしている閉鎖位置との間で、蓋アセンブリ１０を移動させる。また、通気開口部１３６は、頂部１４が開放位置にあるときに通気経路開口部として作用する経路開口部７４と位置合わせされ、通気開口部１３６は、頂部１４が閉鎖位置にあるときに通気経路開口部として作用する経路開口部７４からオフセットしている。頂部１４は、閉鎖位置から開放位置に向かって第１の方向、例えば時計回りの方向に回転する。頂部１４は、閉鎖位置からロック解除位置に向かって、第２の方向、例えば反時計回りの方向に回転する。
【００１５】
図１に戻って参照すると、上側シール１８は、図示の実施形態では円形である外側部分１７０を有する。上側シール１８は、図示の実施例では同じく円形である内側部分１７２を更に有する。外側部分１７０及び内側部分１７２は、回転軸線２２を中心にしている。内側部分１７２は、内側中央穴１７４を包囲している。上側シール１８は、また、回転軸線２２が存在する対称平面（対称平面も各経路開口部７４の中心と交差する）の両側において２つの経路密封部１７６を有する。各経路密封部１７６は、内側部分１７２から外側部分１７０に延びている。上側シール１８、また、内側部分１７２と外側部分１７０とそれぞれの経路密封部１７６の間にある２つの中間開口部１７８を有する。上側シール１８は、蓋アセンブリ１０が最終的に組み立てられるときに底部１２の上側シール凹部７２内に位置決めされる。図３から分かるように、上側シール１８は、頂部１４が閉鎖位置にあるとき、飲料開口部１３２を閉鎖するために頂部１４に対して密封する。上側シール１８は、また、頂部１４が閉鎖位置にあるときに通気開口部１３６を閉じるために頂部１４に対して密封する。周縁隆起部１２６は、頂部１４が開放位置又は閉鎖位置のいずれかにあるときに、経路開口部７４及び飲料開口部１３２を通る以外に、液体が頂部１４と底部１２の間から漏出するのを防止するために、上側シール１８の外側部分１７０に沿って突き出ている。
【００１６】
図１を参照すると、プランジャ１６は、基部１９０と、基部１９０から上方に延びるステム１９２とを有する。基部１９０は、図示の実施形態では円形である。基部１９０は、円錐状の上面１９４と、環状の放射状（半径方向）表面１９６と、平面状の上面１９８とを有する。基部１９０は、また、図示の実施形態では平面状である下面２０２を有する。細長いタブ２０４が下面２０２から下方に延びている。
【００１７】
ステム１９２は、図示の実施形態では円筒形状であり、底部１２の中央開口部９０内に受け入れられるように構成されている。湾曲したステム傾斜路２０６は、底部１２上の底部傾斜路９２と協働するようにステム１９２から外向きに延びている。各ステム傾斜路２０６は、上側停止部２０８で終端する。また、ステム１９２は、形状が円形でない頂部コネクタ開口部２１０を有する。頂部コネクタ開口部２１０は、頂部１４の底部１２に対する回転で、プランジャ１６を回転軸線２２と平行な方向に底部１２に対して移動させるように、頂部１４をプランジャ１６と接続させるために延長部１３８を受け入れる。開放位置から閉鎖位置に向かっての頂部１４の回転によって、基部１９０を底部１２に対して上方に移動させる。底部傾斜路９２の水平部分９８によって、頂部１４が閉鎖位置からロック解除位置に向かって回転しても、基部１９０の底部１２に対するさらなる上方への移動は生じず、代わりに、単に、頂部１４のタブ１５０が底部１２の切欠部４４と位置合わせすることができる。
【００１８】
プランジャシール２０は、ステム１９２がそれを通して突出する中央開口部２２２を有する。プランジャシール２０は、プランジャシール２０がプランジャ１６上に配置されたときにプランジャ１６の円錐形上面１９４に接触する下面２２４を有する。プランジャシール２０は、さらに、底部１２の下面８２に面する、図示の実施形態では上面である円錐形の密封面２２６を有する。プランジャシール２０の円錐形密封面２２６は、底部１２の下面８２上に設けられた隆起部８４に対して押圧し、蓋アセンブリ１０が関連する飲料容器内の流体が、飲料経路開口部として作用する経路開口部７４及び飲料開口部１３２を通って流れるのを阻止する。
【００１９】
図７を参照すると、蓋アセンブリ１０が開放位置にあるとき、蓋アセンブリ１０が取り付けられた容器内の飲物は、矢印２４０に沿って、プランジャ１６及びプランジャシール２０の周りを、飲料経路開口部として作用している複数の経路開口部７４のうちの１つと、飲料開口部１３２とを通って移動することができる。空気は、矢印２４２に沿って移動し、通気開口部１３６と、通気路開口部として作用している複数の経路開口部７４のうちの１つとを通って、プランジャ１６及びプランジャシール２０の周囲を通って容器の中に入ることができる。
【００２０】
図８を参照すると、蓋アセンブリ１０は、洗浄のために分解することができる。頂部１４が図３に示されている閉鎖位置にある状態で、頂部１４は、反時計回り方向（図３の向きで）にロック解除位置まで回転される。次いで、頂部１４は、回転軸線２２に沿って引っ張ることによって、底部１２から取り外すことができる。底部１２から頂部１４を取り外した状態で、プランジャ１６を底部１２から螺着を外すことができる。蓋アセンブリ１０は、各上側停止部２０８がそれぞれの回転停止限界部９６に接触するまで、底部１２の中央開口部９０にプランジャ１６を螺着することによって再度組み立てることができる。頂部１４上の延長部１３８は、頂部コネクタ開口部２１０内に挿入され、頂部１４は、回転軸線２２に沿って底部１２に向かって押される。次いで、頂部１４は、開放位置又は閉鎖位置に向かって底部に対して回転される。頂部１４と底部１２の経路開口部７４との対称性により、頂部１４は、第１の向きと、頂部１４が第１の向きから１８０度回転軸線２２を中心として回転される第２の向きで、底部１２及びプランジャ１６に接続可能である。
【００２１】
蓋アセンブリ１０の構成要素は、図面に示されている実施形態から修正することができる。例えば、隆起部８４をプランジャ１６に設けることができる。また、プランジャ１６と頂部１４は、互いに他の方法で接続できる、例えば、プランジャ１６は、接続部の雄部分を有し、頂部１４は雌部分を有しうる。また、頂部１４のタブ１５０を底部１２に設けることができ、底部１２のフランジ４２を頂部１４に設けることができる。これらは、いくつかの修正のほんの少しの例である。飲料容器用の蓋アセンブリ１０いくつかのの実施形態は、特に上述した。前述の詳細な説明を読んで理解した上で修正や変更が行われる。しかしながら、本発明は、上述した実施形態のみに限定されるものではない。その代わり、本発明は、添付の請求項及びその均等物によって広く規定される。当然のことながら、様々な上述した実施形態の各種もの、及び、他の特徴や機能、あるいは、代替又は変形を、多くの他の異なるシステム又は用途に組み合わせることが望ましいということが理解されるはずである。また、現在予見されない又は予期されない、様々な代替、修正、変形又は改良が、当業者によって後になされることもあり、それらも以下の請求の範囲に包含されることを意図する。
【図１】
2021523073.tif 000003
【図２】
2021523073.tif 000004
【図３】
2021523073.tif 000005
【図４】
2021523073.tif 000006
【図５】
2021523073.tif 000007
【図６】
2021523073.tif 000008
【図７】
2021523073.tif 000009
【図８】
2021523073.tif 000010
【国際調査報告】
2021523073.tif 000011